(57)【要約】【課題】棚板の高さを無段階に、かつ容易に調節しうるようにする。【解決手段】左右の支柱５の対向面にラック１０を設けるとともに、操作軸１３の両端に固着されたウォームギア１４、１４と、該ウォームギア１４に噛合されて互いに反対方向に回転する１対のウォームホイール１７とを、それぞれ、両支柱５の対向面に沿って上下動する左右１対の棚板支持体１１に、前記各ウォームホイール１７が左右のラック１０と噛合するように設け、棚板６を、左右の棚板支持体１１に高さ調節可能に支持する。【選択図】    図２
2004173959.tif 000002
【特許請求の範囲】
【請求項１】
左右に離間する１対の支柱の対向面に、ラックを、その歯列面を対向させて設けるとともに、左右方向を向く操作軸の両端に固着された、螺旋条が互いに反対方向を向く左右１対のウォームギアと、該ウォームギアに噛合されて前後方向を向く軸回りに互いに反対方向に回転する左右１対のウォームホイールとを、それぞれ前記両支柱の対向面に沿って上下に移動しうるように係合された左右１対の棚板支持体に、前記各ウォームホイールが前記左右のラックの歯列面に噛合するように設け、かつ棚板を、前記左右の棚板支持体により高さ調節可能に支持したことを特徴とする物品収納棚。
【請求項２】
前後左右に並ぶ４本の支柱を備える物品収納棚において、前記各支柱における左右方向の対向面に、ラックを、その歯列面を対向させて設けるとともに、前側の左右１対の支柱の対向面に、請求項１に記載の棚板支持体を、かつ後側の左右１対の支柱の対向面に、該支柱のラックと噛合するとともに、前記前側の左右の棚板支持体のウォームホイールに連結されて一体的に回転しうる従動ギアを有する後側の棚板支持体を、それぞれ上下に移動可能に係合し、前記前後左右の４個の棚板支持体により棚板を高さ調節可能に支持したことを特徴とする物品収納棚。
【請求項３】
支柱を平面視内向きコ字状として、その内部にラックを収容するとともに、ウォームホイール又はウォームホイールと従動ギアを、前記支柱の内方の開口部を挿通して、前記ラックの歯列面に噛合してなる請求項１または２に記載の物品収納棚。
【請求項４】
支柱の内部に、上下方向を向く案内凹部を、内側面に設けたスリット状のガイド溝と連通するように形成し、前記案内凹部に、棚板支持体の外端面に突設した上下１対の摺動片を、上下に摺動可能に嵌合してなる請求項１ないし３のいずれかに記載の物品収納棚。
【請求項５】
支柱の内部に、上下方向を向く案内凹部を、内側面に設けたスリット状のガイド溝と連通するように形成し、前記案内凹部に、棚板支持体の外端面に突設した上下１対のガイドローラを、上下方向に転動可能に嵌合してなる請求項１ないし３のいずれかに記載の物品収納棚。
【請求項６】
左右のウォームギアの操作軸の適所に、拡径操作つまみを設けた請求項１ないし５のいずれかに記載の物品収納棚。
【発明の詳細な説明】
【０００１】
【発明の属する技術分野】
本発明は、棚板の高さを無段階に調節しうるようにした物品収納棚に関する。
【０００２】
【従来の技術】
物品収納棚において棚板の高さを調節するには、左右の支柱に、多数の係合孔を、上下方向に所定間隔置きに列設しておき、棚板支持用の支持金具や支持アーム等を、左右の支柱の係合孔に選択的に係合させることにより、棚板の高さを調節しているのが一般的である（例えば特許文献１参照）。
【０００３】
【特許文献１】
実公平７−７７９０号公報（第１図、第６図）
【０００４】
【発明が解決しようとする課題】
上述の特許文献１に記載されている従来の物品収納棚のように、支柱に形成された多数の係合孔を棚板の高さを調節するものにおいては、棚板の高さは段階的にしか調節することができないため、上下の棚板間の間隔を微調節したいときなどに不便である。
【０００５】
また、棚板の支持金具や支持アーム等を、左右の支柱の係合孔に高さを合わせて係合させる作業が面倒であり、その作業を２人がかりで行わなければならないこともある。
【０００６】
特に、前後左右に並ぶ４本の支柱のそれぞれの係合孔に、棚板の下面の四隅部を支持する４個の支持金具等を、同位置に高さを合わせて係合させる作業は甚だ面倒である。さらに、支柱に形成された多数の係合孔が外部に露出しているため、見栄えが悪い。
【０００７】
本発明は、上記諸問題を解決するためになされたもので、棚板の高さを無段階に調節しうるようにすることにより、微調節も容易であり、かつ複数の支柱に対しての棚板の上下の位置合わせを一度に行いうるとともに、係合孔を廃止することにより、見栄えを向上させるようにした物品収納棚を提供することを目的とする。
【０００８】
【課題を解決するための手段】
上記目的を達成するために、本発明の物品収納棚は、左右に離間する１対の支柱の対向面に、ラックを、その歯列面を対向させて設けるとともに、左右方向を向く操作軸の両端に固着された、螺旋条が互いに反対方向を向く左右１対のウォームギアと、該ウォームギアに噛合されて前後方向を向く軸回りに互いに反対方向に回転する左右１対のウォームホイールとを、それぞれ前記両支柱の対向面に沿って上下に移動しうるように係合された左右１対の棚板支持体に、前記各ウォームホイールが前記左右のラックの歯列面に噛合するように設け、かつ棚板を、前記左右の棚板支持体により高さ調節可能に支持したことを特徴としている。
上記構成の本発明によれば、操作軸を回転させると、その左右両端の１対のウォームギア及びそれと噛合している左右のウォームホイールが同期して回転し、かつ両ウォームホイールは、左右の支柱の対向面に設けたラックと噛合しているため、左右の棚板支持体は同時に上下に移動する。従って、左右の棚板支持体により支持された棚板の高さを無段階に調節することが出来る。
【０００９】
また、上記目的を達成するために、本発明の物品収納棚は、前後左右に並ぶ４本の支柱を備える物品収納棚において、前記各支柱における左右方向の対向面に、ラックを、その歯列面を対向させて設けるとともに、前側の左右１対の支柱の対向面に、請求項１に記載の棚板支持体を、かつ後側の左右１対の支柱の対向面に、該支柱のラックと噛合するとともに、前記前側の左右の棚板支持体のウォームホイールに連結されて一体的に回転しうる従動ギアを有する後側の棚板支持体を、それぞれ上下に移動可能に係合し、前記前後左右の４個の棚板支持体により棚板を高さ調節可能に支持したことを特徴としている。
上記構成の本発明によれば、操作軸を回転させると、左右両端のウォームギア、左右のウォームホイール、後側の左右の従動ギアが同期して回転するため、前後左右の４個の棚板支持体は同時に上下に移動し、これらに支持された棚板の高さを無段階に調節することが出来る。
【００１０】
上記物品収納棚において、支柱を平面視内向きコ字状として、その内部にラックを収容するとともに、ウォームホイール又はウォームホイールと従動ギアを、前記支柱の内方の開口部を挿通して、前記ラックの歯列面に噛合するのが好ましい。
このようにすると、ラックは外部に露出しないので見栄えがよく、かつ、支柱の内部においてウォームホイール及び従動ギアが噛合しているので、安全である。
【００１１】
上記物品収納棚において、支柱の内部に、上下方向を向く案内凹部を、内側面に設けたスリット状のガイド溝と連通するように形成し、前記案内凹部に、棚板支持体の外端面に突設した上下１対の摺動片を、上下に摺動可能に嵌合することが好ましい。
このようにすると、棚板支持体は、支柱の案内凹部にガイドされて安定的に上下に移動することができる。
【００１２】
上記物品収納棚において、支柱の内部に、上下方向を向く案内凹部を、内側面に設けたスリット状のガイド溝と連通するように形成し、前記案内凹部に、棚板支持体の外端面に突設した上下１対のガイドローラを、上下方向に転動可能に嵌合することが好ましい。
このようにすると、棚板支持体は、小さな抵抗で円滑に昇降しうるようになるため、操作軸を回動する際の回動力も小さくなる。
【００１３】
上記物品収納棚において、左右のウォームギアの操作軸の適所に、拡径操作つまみを設けるのが好ましい。
このようにすると、操作軸の回動操作が容易となる。
【００１４】
【発明の実施の形態】
以下、本発明の実施形態を図面に基づいて説明する。図１は本発明の物品収納棚の斜視図を示すもので、物品収納棚１は、棚本体２と、その左右両側面と後面を覆う側板３、３と後面板４とからなっている。
【００１５】
棚本体２は、左右の側板３の内面中央に固着された上下方向を向く左右１対の支柱５、５と、両支柱５の対向面間に、後記する棚板支持体により高さ調節可能に支持された上下複数の棚板６とからなっている。
【００１６】
図２及び図３に示すように、左右の支柱５は、内端と左右方向の中間部に、互いに対向する内向片５ａ、５ｂを有する平面視内向きコ字状をなし、内端の内向片５ａの対向面間にはスリット状の狭幅のガイド溝７が、また中間部の内向片５ｂの対向面間にはやや広幅のガイド溝８が、それぞれ支柱５の上下方向全長に亘って形成されている。
【００１７】
また、支柱５の内部には、中間部の内向片５ｂにより区画された左右２個の矩形状の案内凹部９、９が、上下方向に連続して形成され、外方の案内凹部９には、ラック１０が、その歯列面１０ａを内方に向けて圧嵌されている。
【００１８】
１１は、左右１対の棚板支持体で、正面視外向きコ字状の昇降ブラケット１２と、左右の昇降ブラケット１２における垂直の基片１２ａの下端部を回動可能に貫通する左右方向を向く操作軸１３の左右両端に軸着された螺旋条がウォ−ムギア１４、１４と、両ブラケット１２の基片１２ａに連設された前後１対の外向きの支持片１５に固着した前後方向を向く枢軸１６に、回動自在に枢支され、下端が上記ウォームギア１４と噛合するウォームホイール１７とを備えている。
【００１９】
上記両棚板支持体１１は、昇降ブラケット１２の上下の外向片１２ｂ、１２ｂの外端中央に突設された１対の摺動片１８、１８を支柱５の内方の案内凹部９に、上下に摺動可能に嵌合するとともに、ウォームホイール１７を、ガイド溝８を挿通してラック１０の歯列面１０ａに噛合させることにより、支柱５の内側面に沿って上下に移動することが出来るようになっている。
【００２０】
すなわち、操作軸１３の右端側に設けた拡径操作つまみ１９を手で回動させると、図２の矢印で示すように、左右のウォームギア１４と、それに噛合しているウォームホイール１７とが、互いに反対方向に同期して回転し、かつ左右のウォームホイール１７はラック１０と噛合しているため、左右の棚板支持体１１は、同時に上下に移動するようになる。
【００２１】
左右の昇降ブラケット１２には、互いの対向面を連結板２０により結合された正面視外向きコ字状の棚板支持ベース２１が、ボルト２２により固定され、支持ベース２１の上面には、上記棚板６が載置されている。従って、上下の各棚板６は、左右の棚板支持体１１と共に上下動し、その高さを無段階に調節することができる。なお、調節後においては、ウォームギア１４にウォームホイール１７からの回転力は伝達されず、ウォームホイール１７の回転がロックされるため、棚板６の荷重が棚板支持体１１に加わっても、それが下降する恐れはない。
【００２２】
図４及び図５は、棚板６を、前後左右に並ぶ４本の支柱５により高さ調節可能に支持する際の他の実施形態を示すもので、この際には、上記と同じ棚板支持体１１を前部側の左右１対の支柱５、５に取付けるとともに、後部側の左右１対の支柱５、５には、ウォームギア１４が省略され、かつ前側のウォームホイール１７に、連結ロッド２３により結合された従動ギア２４を有する左右１対の後側の棚板支持体２５、２５を上述と同様の昇降ブラケット１２の外端に設けられた摺動片１８、１８を支柱５の内方の案内凹部９に摺動可能に嵌合するとともに、従動ギア２４をラック１０の歯列面１０ａに噛合させるようにして取付ける。
【００２３】
この実施形態においても、前部側のウォームギア１４同士を連結している操作軸１３の操作つまみ１９を回動させると、前方の左右のウォームホイール１７と、それに結合された後方の左右の従動ギア２４とが、互いに反対方向に同期して回転するため、前後左右の４個の棚板支持体１１、２５及びそれらに載置された棚板６は、４本の支柱５に沿って水平に昇降するようになる。
【００２４】
以上説明したように、上記実施形態の物品収納棚においては、棚板６の高さを無段階に調節しうるので、棚板６に載置される物品の上下寸法に応じて、上下の棚板６間の離間寸法を任意に調節したり、微調節したりすることができ、棚板６を有効に使用することができる。また、左右又は４本の支柱５に対する棚板の上下の位置合わせを、１個の操作つまみ１９を回動操作するだけで一度に行うことができるので、多数の係合孔に支持金具等を係合させて棚板の高さを調節する従来の収納棚に比して、高さの調節作業が能率的であり、かつ１人でも簡単に行うことができる。さらに、支柱５に多数の係合孔を穿設する必要がないので、それが外部に露出して見栄えが悪くなるということもない。
【００２５】
本発明は、上記実施形態に限定されるものではない。上記実施形態では、棚板支持体１１、２５の昇降ブラケット１２に上下１対の摺動片１８を突設し、これを、支柱５の内方の案内凹部９に上下に摺動可能に嵌合しているが、摺動片１８の代わりに、図６に示すような２個のガイドローラ２６を、ブラケット１２の上下の外向片１２ｂの側端中央に突設した支持片２７に、前後方向を向く軸回りに回転しうるように枢着し、このガイドローラ２６を、支柱５の内方の案内凹部９に、内向片５ａの内面と当接して上下方向に転動しうるように嵌合してもよい。
【００２６】
このようにすると、支柱５に対し、棚板支持体１１、２５が抵抗なく円滑に上下動するようになるので、操作つまみ１９を回動操作する際の回動力も小さくて済む。
【００２７】
【発明の効果】
本発明は以下の効果を奏する。
【００２８】
（ａ）請求項１項に記載の発明によれば、操作軸を回転させると、左右の棚板支持体は、支柱とラックに沿って同時に上下に移動するため、両棚板支持体により支持された棚板の高さを無段階に調節することができる。その結果、棚板に載置される物品の上下寸法等に応じて、上下の棚板間の離間寸法を任意に調節したり、微調節したりすることができ、上下複数段の棚板を有効に使用することができる。
また、左右の支柱に対する棚板の上下の位置合わせを、１つの操作軸の回動操作のみで一度に行うことができるで、従来の係合孔を選択して位置合わせを行うものに比して、高さの調節作業が能率的となり、かつ１人でも簡単に行うことができる。
さらに、支柱に多数の係合孔を穿設する必要がないので、見栄えが良くなるばかりでなく、棚板の高さ調節後において、ウォームギアにはウォームホイールからの回転力が伝達されないので、特別なロック手段を設けなくても、棚板が自重により下降するという恐れはない。
【００２９】
（ｂ）請求項２項に記載の発明によれば、４本の支柱を備える物品収納棚においても、１つの操作軸を回動操作するだけで、前後左右の４個の棚板支持体を同時に上下動させ、それらに支持された棚板の高さを容易に、かつ無段階に調節することができる。また、４本の支柱に対する棚板の位置合わせも極めて容易に行うことができる。
【００３０】
（ｃ）請求項３項に記載の発明によれば、ラックは外部に露出しないので、見栄えがよく、かつ支柱の内部においてウォームホイール及び従動ギアと噛合しているので、安全である。
【００３１】
（ｄ）請求項４項に記載の発明によれば、棚板支持体は、支柱の案内凹部にガイドされて安定的に上下に移動することができる。
【００３２】
（ｅ）請求項５項に記載の発明によれば、棚板支持体は、小さな抵抗で円滑に昇降しうるようになるため、操作軸を小さな力で回動することができる。
【００３３】
（ｆ）請求項６項に記載の発明によれば、操作軸の回動操作を容易に行うことができる。
【図面の簡単な説明】
【図１】本発明の物品収納棚の斜視図である。
【図２】同じく、物品収納棚の一部の拡大正面図である。
【図３】同じく、支柱と棚板支持体との分解斜視図である。
【図４】同じく、４本の支柱を備える収納棚に適用した他の実施形態における前方のウォームギアとウォームホイール及び後方の従動ギアとの連結状態を略示する平面図である。
【図５】同じく、図４の実施形態における前後の棚板支持体の連結態様と支柱との分解斜視図である。
【図６】棚板支持体にガイドローラを設けた他の実施形態の斜視図である。
【符号の説明】
１            物品収納棚
２            棚本体
３            側板
４            後面板
５            支柱
５ａ、５ｂ    内向片
６            棚板
７、８        ガイド溝
９            案内凹部
１０          ラック
１０ａ        歯列面
１１          棚板支持体
１２          昇降ブラケット
１２ａ        基片
１２ｂ        外向片
１３          操作軸
１４          ウォームギア
１５          支持片
１６          枢軸
１７          ウォームホイール
１８          摺動片
１９          拡径操作つまみ
２０          連結板
２１          棚板支持ベース
２２          ボルト
２３          連結ロッド
２４          従動ギア
２５          棚板支持体（後側）
２６          ガイドローラ
２７          支持片
【図１】
2004173959.tif 000003
【図２】
2004173959.tif 000004
【図３】
2004173959.tif 000005
【図４】
2004173959.tif 000006
【図５】
2004173959.tif 000007
【図６】
2004173959.tif 000008